(57)【要約】      （修正有）【課題】接続部位からの締付バンドの抜けを防止するとともに、ビスを簡単に打ち込める締付バンドを提供する。【解決手段】締付バンド１は、空調室に配置するダクトと継手とを接続した円筒状の接続部位に巻き付けて、ダクトと継手とを固定するものである。締付バンド１の締付部分は、金属製で帯状の本体２からなる。本体２は、その幅方向中央に所定間隔をもってビス挿通導入部３を複数備える。締付バンド１はビス挿通導入部３を介することで接続部位にビスを所定間隔で簡単に打ち込み、接続部位に固定することができ、このビスにより本体２の接続部位からの抜けを防止することができる。【選択図】図１
0003216060.tif 000002
【実用新案登録請求の範囲】
【請求項１】
ダクトと継手とを接続した円筒状の接続部位に巻き付ける締付バンドであって、
前記締付バンドの締付部分は、金属製で帯状の本体からなり、
前記本体は、その幅方向中央に所定間隔をもってビス挿通導入部を備えることを特徴とする締付バンド。
【請求項２】
ビス挿通導入部は、複数の円形の貫通孔であることを特徴とする請求項１に記載の締付バンド。
【請求項３】
本体の一端を固定したハウジングと、当該ハウジングに回転自在で設けられ、本体の他端側を巻き取る締付用の巻取軸と、を備えることを特徴とする請求項１または２に記載の締付バンド。
【請求項４】
ビス挿通導入部は、径の異なる複数の貫通孔からなり、これら貫通孔が所定の並びを繰り返して本体の長手方向に一定間隔に設けられていることを特徴とする請求項１、２または３のいずれかに記載の締付バンド。
【考案の詳細な説明】
【技術分野】
【０００１】
この考案は、空調用のダクトと継手とを接続した接続部位に締め付けて固定する締付バンドに関する。
【背景技術】
【０００２】
締付バンドは、特許文献１などに示すように、流体の流れるダクトと継手などを接続した接続部位を外周より締め付けて、ダクトと継手を接続した状態を確実に保持するものである。
【０００３】
特許文献１には、パイプに挿入したホースのホース連結部を周囲より締め付ける弾性リング部材を有する締付固定具が開示されている。この締付固定具は、弾性リング部材の両側に爪部を設け、締め付けた状態で爪部をホースに噛み付かせる（食い込ませる）ことで、パイプとホースの連結を強固にしている。
【０００４】
また、従来一般的に使用される締付バンドは、継手にダクトを装着した状態で、締付バンドを巻き付けたうえで、締め付け、その状態で締付バンドからダクトを貫通させるようにビスを打ち込んで、ダクトの抜けを防止していた。
【先行技術文献】
【特許文献】
【０００５】
【特許文献１】実開昭５８−３８０８９号公報
【考案の概要】
【考案が解決しようとする課題】
【０００６】
従来、一般的に使用される締付バンドでは、作業者がビスを正確に打ち込むことが難しかった。これは、締付バンドは金属製で製造されたもので、そもそも空調用ダクトが配置される空調室は狭く、正確な作業をし難いところであり、一般的な幅狭の金属製バンドをビスで打ち抜くときに作業者がバランスを崩して、締付バンドの中央ではなく、端をビスで打ち抜いてしまうことがあった。また、アルミと鉄の違い等、金属製バンドの素材よりも強度の低い素材のビスしか施工者が施工時に所持していなければ、そもそもネジを挿入させることもできなかった。
【０００７】
また、特許文献１の爪部を用いると、締め付け作業の途中から爪部が噛み付くことにより、ホースの外周面に爪部よりもホースの円周方向に長い噛み付き痕が形成される。弾性リング部材はこの噛み付き痕により、ダクトの使用による振動からホースの円周方向に動いて、抜けや緩みを生じることがあった。
【０００８】
そこで、これら課題に鑑み、本考案は、接続部位からの締付バンドの抜けを防止するとともに、ビスを簡単に打ち込めることを目的とするものである。
【課題を解決するための手段】
【０００９】
上記目的を達成するために、請求項１記載の考案は、ダクトと継手とを接続した円筒状の接続部位に巻き付ける締付バンドであって、前記締付バンドの締付部分は、金属製で帯状の本体からなり、前記本体は、その幅方向中央に所定間隔をもってビス挿通導入部を備えることを特徴とするものである。
【００１０】
また、請求項２記載の考案は、ビス挿通導入部は、複数の円形の貫通孔であることが好ましい。
【００１１】
また、請求項３記載の考案は、本体の一端を固定したハウジングと、当該ハウジングに回転自在で設けられ、本体の他端側を巻き取る締付用の巻取軸と、を備えることが好ましい。
【００１２】
また、請求項４記載の考案は、ビス挿通導入部は、径の異なる複数の貫通孔からなり、これら貫通孔が所定の並びを繰り返して本体の長手方向に一定間隔に設けられていることが好ましい。
【考案の効果】
【００１３】
請求項１記載の考案によれば、ビス挿通導入部によりビスを簡単に本体に挿通して接続部位に打ち込むことができ、締め付けた本体をビスにより接続部位に固定して、接続部位からの抜けや緩みを防止することができる。
【００１４】
請求項２記載の考案は、ビス挿通導入部の具体的な構成に関するものである。この考案によれば、簡単にビスを本体に貫通させることができる。
【００１５】
請求項３記載の考案によれば、巻取軸により本体を巻き取る締付構造としたことで、本体に締付用の歯列部を設けずにすみ、本体全長に亘りビス挿通導入部を設けても締付構造にビス挿通導入部が干渉せず、簡素な構造にすることができる。
【００１６】
請求項４記載の考案は、多様な接続部位に対応してビスを打ち込むことができる。
【図面の簡単な説明】
【００１７】
【図１】図１は、本考案の第１の実施形態を示す締付バンドの平面図である。
【図２】図２は、図１に示す締付バンドの斜視図である。
【図３】図３は、第２の実施形態を示す締付バンドの平面図である。
【図４】図４は、第３の実施形態を示す締付バンドの斜視図である。
【図５】図５は、図２に示す締付バンドの使用状態の模式的な正面図である。
【図６】図６は、図５に示す締付バンドのＡ−Ａ線断面図である。
【考案を実施するための形態】
【００１８】
以下、本考案に係る締付バンドの実施形態を添付の図面に基づいて説明する。
【００１９】
本実施形態の締付バンド１は、図５に示すように、構造物の天井裏等に配置される空調室に配置される空調用のダクト２１とチャンバーや送風機器の吹出し口、継手とを接続した円筒状の接続部位２３に好適に用いられる。具体的には、空調チャンバー２０やその他の空調機器の継手２２にフレキシブルダクトを取り付けるために用いる。
【００２０】
空調チャンバー２０の継手２２は、一般的にダクト径と略同径の円形突出部材であり、この継手２２にダクト２１の先端絞り部分である接続部位２３を被せる。この状態で、接続部位２３と継手２２との接続状態を保持するために締付バンド１を用いる。
【００２１】
第１の実施形態の締付バンド１は、図１及び２に示すように、金属製で長尺な帯状（長方形状）の本体２と、本体２の長手方向の一端（固定端）を固定したハウジング４と、ハウジング４に回転自在で取り付けられ本体２の残る一端（自由端）側を巻き取る巻取軸５とからなる。
【００２２】
本体２は、鋼板、例えば亜鉛メッキ冷延鋼板（ＳＧＣＣ）からなるものが好ましいが、他の金属板材で形成してもよい。本体２は、複数のビス挿通導入部３、３を備える。ビス挿通導入部３、３は本体２の幅方向（図１の左右方向）の中央に位置し、本体２の長手方向に亘り一定間隔（等間隔）で並ぶ。ビス挿通導入部３、３は、例えば本体２の厚さ方向に貫通する円形の貫通孔である。これら貫通孔は同じ開口径であり、ビス８の挿通用である。
【００２３】
締付バンド１は、ビス挿通導入部３、３を設けたことで、ビス挿通導入部３、３を介して接続部位２３にビス８を容易に螺入して本体２を接続部位２３に固定することができ、接続部位２３からの本体２の抜けや緩みを防止することができる。ビス挿通導入部３、３が本体２の長手方向に一定間隔で並ぶことで、ビス８を接続部位２３の円周方向に一定間隔で螺入することができ、ダクト２１の振動などによりビス８にかかる負荷を均等に分散することができる。ビス挿通導入部３、３を円形の貫通孔とすることで、簡単にビス８を本体２に貫通させることができる。なお、ビス挿通導入部３、３は少なくとも接続部位２３に面接触する部位（締付部）に設けてあればよい。
【００２４】
ハウジング４は鉄板、例えば亜鉛メッキ鉄板（ＳＰＧ）からなるものが好ましいが、他の金属板材で形成してもよい。ハウジング４は、本体２の一方端（固定端）をリベット９により固定した板状の底部と、底部の幅方向の端部それぞれから厚さ方向（締付バンド１を締め付けた状態の外周方向）に突出する板状の壁部１０、１０とからなり、外周方向に開口するように形成される。これら壁部１０、１０は互いに同径でかつ幅方向に並ぶ軸支持孔を有し、これら軸支持孔は巻取軸５を回転自在で支持している。
【００２５】
巻取軸５は、軸方向を本体２の幅方向と平行にして、ハウジング４の両壁部１０、１０に跨って配置される。巻取軸５は、本体２の自由端を挟むスリット６と、工具などにより軸周りに回転させるための頭部７とを有する割ピン形状である。巻取軸５は自由端をスリット６に挟んだ状態で回転することで、巻取軸５の外周に本体２を巻き取り、本体２のループを狭めるものである。巻取軸５は緩み止め（図示しない）を有しており、本体２を巻き取った状態に維持することができる。
【００２６】
締付バンド１は、巻取軸５により本体２を巻き取る締付構造としたことで、本体２に締付用の歯列部を設けずにすみ、本体２全長に亘りビス挿通導入部３、３を設けても締付構造にビス挿通導入部３が干渉せず、簡素な構造にすることができる。なお、ビス挿通導入部３は、ビス８の挿通を導入・補助するものであれば、円形の凹所や切込み、厚みを減じた薄板部などであってもよい。
【００２７】
また、第２の実施形態の締付バンド１は、図３に示すように、ビス挿通導入部１２、１３、１４が径の異なる複数の貫通孔からなる。これら貫通孔は所定の並びを繰り返して本体２の長手方向に一定の間隔で設けられている。この場合には、接続部位２３のサイズに対応してビス８のサイズや種類を選択的に変更することができ、多様な径の接続部位２３に締付バンド１を良好に固定することができる。なお、ビス挿通導入部１２、１３、１４は、楕円や多角形状であってもよく、ビス８のサイズに応じて開口形状を異ならせてもよい。
【００２８】
また、第３の実施形態の締付バンド１は、図４に示すように、本体２の締付部に一定間隔で並ぶビス挿通導入部３、３を有し、締付部よりも自由端側に一定間隔で並ぶ矩形の孔１５ａ、１５ａからなる締付用の歯列部１５を有する。さらに、孔１５ａに螺合し回転により本体２を緩締する螺子歯車１６を備え、螺子歯車１６は基端部１６ａがハウジング４に保持されている。螺子歯車１６を所定方向に回転させることで、本体２を半径方向に絞りダクト２１を締め付け、逆方向に回転させることで、ダクト２１を緩める構造としている。この場合には、巻き取る締付構造と異なり本体２の自由端側が変形せず、かつビス挿通導入部３によりビス８が本体２を傷つけず、締付バンド１を繰り返し使用することができる。なお、歯列部１５は孔に限らず凹凸などであってもよい。
【００２９】
締付バンド１は、図５に示すように、本体２を接続部位２３の外周に面接触させてループ状に巻き付け、巻取軸５により本体２の自由端側を巻き取ることで、本体２を半径方向に絞り接続部位２３を締め付けて、接続した状態に接続部位２３を固定する。そして、締め付け固定した状態で締付バンド１は、本体２のビス挿通導入部３を通して接続部位２３にビス８を螺入することで、締付バンド１を接続部位２３に固定する。ビス８は、図６に示すように、接続部位２３を貫通して、先端部が継手２２の内側空間に突出する。
【００３０】
なお、本実施形態ではビス（タッピングネジ）を螺入する場合を記載したが、ビス以外の釘やリベットなどでの固定を除外するものではない。
【符号の説明】
【００３１】
１…締付バンド、２…本体、３、１２、１３、１４…ビス挿通導入部、４…ハウジング、５…巻取軸、６…スリット、７…頭部、８…ビス、１０…壁部、２０…空調チャンバー、２１…ダクト、２２…継手、２３…接続部位。
【図１】
0003216060.tif 000003
【図２】
0003216060.tif 000004
【図３】
0003216060.tif 000005
【図４】
0003216060.tif 000006
【図５】
0003216060.tif 000007
【図６】
0003216060.tif 000008